(57)【要約】【課題】装置外部に新たな付帯設備を追加したり分粒精度向上のため装置サイズを大きくすることなく、分粒後の網上物から微粉を分離し、最終製品の粒度調製と品質維持が可能な分粒分級装置を提供する。【解決手段】微粉を含む被処理物Ｍを分粒するための篩網４を備えた篩手段と、分粒直後の微粉を移送気体の流れ５に伴送させて分級するべく前記微粉に対して移送気体を流通させる分級手段とを有する分粒分級装置１において、前記篩網４を通過しない網上物の少なくとも一部Ｍ１ａを前記分級手段に混合するための網上物混合手段１０を備えた。【選択図】図１
2008086917.tif 000002
【特許請求の範囲】
【請求項１】
微粉を含む被処理物を分粒するための篩網と、分粒後の微粉を移送気体の流れに伴送させて分級するべく前記篩網の下方において移送気体を流通させる分級手段と、前記篩網の網上物排出側端部を通って篩い落とされる前記篩網を通過しない網上物の少なくとも一部を、前記篩網の下方において流通する移送気体中に通過させながら、前記篩網を通過した網下物に混合させるべく、前記篩網の下流端側下方に設けられた網上物混合手段を備えたことを特徴とする分粒分級装置。
【請求項２】
前記網上物混合手段が、前記篩網から落下して来た網上物を網下物に混合する側と混合せずに排出する側とに分配するダンパーと、このダンパーの姿勢を操作する姿勢変更機能とを備えて構成されたことを特徴とする請求項１に記載の分粒分級装置。
【請求項３】
前記ダンパーは、前記篩網の網上物排出側端部に沿う方向に複数個並設されていることを特徴とする請求項に２に記載の分粒分級装置。
【請求項４】
前記篩網の網上物排出側端部は、この網上物排出側端部に沿って出幅が漸次変化した庇状部を備えていることを特徴とする請求項２に記載の分粒分級装置。
【請求項５】
前記分級手段の移送気体流路に多段のルーバ翼を全体的に傾斜して設けることによって前記移送気体の通過断面積を減少させ、前記ルーバ翼間の開口部を通過する移送気体を増速させるよう構成されたことを特徴とする請求項１乃至４の何れか一つの項に記載の分粒分級装置。
【請求項６】
前記ルーバ翼毎の傾斜角度が可変な構造を有し、この傾斜角度を制御することによって、当該ルーバ翼上を滑落する被処理物の慣性力を変化させるよう構成されたことを特徴とする請求項１乃至５の何れか一つの項に記載の分粒分級装置。
【発明の詳細な説明】
【技術分野】
【０００１】
本発明は、分粒分級装置の改善に関するものであり、詳細には、粗大粒、粗粒、細粒および微粉を含む被処理物を、粗大粒と粗粒、細粒および微粉（微粉が混ざった粗粒および細粒、即ち、粗粒と細粒と微粉との混合体）とに分粒し、更に、この粗粒と細粒と微粉とからなる混合体から微粉を分離して、粗粒と細粒とを乾式分級する分粒分級装置の改善に関する。
【背景技術】
【０００２】
粗粒、細粒および微粉を含む被処理物、例えば岩石を破砕してなる破砕物から粗粒と細粒とを分離して製品化しようとする場合、先ず、篩（ふるい）分粒装置により前記被処理物を、粗粒と細粒および微粉（以下、細粒・微粉と記述する）とに分粒して、粗粒と細粒・微粉とを別々に回収し、次に、この細粒・微粉をベルトコンベアにて湿式分級機に移送し、この湿式分級機にて細粒・微粉から微粉を湿式分級して除去し、これにより、細粒を分離して得る方法が採用されていた。
【０００３】
しかし、このような方法においては、湿式分級により除去した微粉の沈降分離に広い用地を要したり、沈降分離したものを圧搾して水分を除去するための装置が必要になって処理費用が高くなるという欠点があり、また、前記圧搾により得られる脱水ケーキの処理が必要であるという欠点がある。
【０００４】
そこで、分級機として前記湿式分級機に代えて空気分級機（エアセパレータ）等の乾式分級機を用い、この乾式分級機にて細粒・微粉から微粉を乾式分級して除去し、これにより、細粒を分離して得る方法が提案され、採用されるようになってきた。このような従来例に係る分粒分級技術に関し、添付図４を参照しながら以下説明する。図４は、従来例に係る分粒分級装置の概要を示す側断面図である。
【０００５】
この従来例に係る分粒分級技術は、微粉を含む被処理物を分粒するための分粒要素（篩網）５４と、分粒直後の微粉を移送気体の流れに伴送させて分級するべく微粉に対して移送気体を流通させる分級手段とを有した分粒分級装置であり、また、前記被処理物を分粒要素５４により分粒し、分粒による分散状態において移送気体を流通させることにより微粉を移送気体の流れに伴送させて分級する分粒分級方法である。
【０００６】
しかしながら、このような従来技術に係る分粒分級装置および方法においては、前記移送気体に伴送されなかった微粉（例えば、分散状態が悪い微粉）の存在により、微粉の分離効率が低下するという問題があるため、気体噴射ノズル５９，６０を設けて、前記移送気体の流れに逆らったり、助成する方向に気体を部分的に噴射させている（特許文献１参照）。
【特許文献１】特開２００２−２５４０３５号公報
【発明の開示】
【発明が解決しようとする課題】
【０００７】
また、従来技術に係る分粒分級装置においては、最終製品の粒度調整のために、一旦装置外へ排出された篩網の網上物の一部を、分粒分級装置から排出された製品に混合する場合があり、前記網上物に篩網で分粒し切れなかった微粉が分級されることなく混合されることにより、最終製品の微粉含有量が増加して品質低下を招いている。
【０００８】
本発明は、このような事情に着目してなされたものであって、その目的は、装置外部に新たな付帯設備を追加したり分粒精度向上のため装置サイズを大きくすることなく、分粒後の網上物から微粉を分離し、最終製品の粒度調整と品質維持が可能な分粒分級装置を提供しようとするものである。
【課題を解決するための手段】
【０００９】
上記目的を達成するために、本発明の請求項１が採用した分粒分級装置は、微粉を含む被処理物を分粒するための篩網と、分粒後の微粉を移送気体の流れに伴送させて分級するべく前記篩網の下方において移送気体を流通させる分級手段と、前記篩網の網上物排出側端部を通って篩い落とされる前記篩網を通過しない網上物の少なくとも一部を、前記篩網の下方において流通する移送気体中に通過させながら、前記篩網を通過した網下物に混合させるべく、前記篩網の下流端側下方に設けられた網上物混合手段を備えたことを特徴とするものである。
【００１０】
本発明の請求項２が採用した分粒分級装置は、請求項１記載の分粒分級装置において、
前記網上物混合手段が、前記篩網から落下して来た網上物を網下物に混合する側と混合せずに排出する側とに分配するダンパーと、このダンパーの姿勢を操作する姿勢変更機能とを備えて構成されたことを特徴とするものである。
【００１１】
本発明の請求項３が採用した分粒分級装置は、請求項１または２に記載の分粒分級装置において、前記ダンパーは、前記篩網の網上物排出側端部に沿う方向に複数個並設されていることを特徴とするものである。
【００１２】
本発明の請求項４が採用した分粒分級装置は、請求項２に記載の分粒分級装置において、前記篩網の網上物排出側端部は、この網上物排出側端部に沿って出幅が漸次変化した庇状部を備えていることを特徴とするものである。
【００１３】
本発明の請求項５が採用した分粒分級装置は、請求項１乃至４の何れか一つの項に記載の分粒分級装置において、前記分級手段の移送気体流路に多段のルーバ翼を全体的に傾斜して設けることによって前記移送気体の通過断面積を減少させ、前記ルーバ翼間の開口部を通過する移送気体を増速させるよう構成されたことを特徴とするものである。
【００１４】
本発明の請求項６が採用した分粒分級装置は、請求項１乃至５の何れか一つの項に記載の分粒分級装置において、前記ルーバ翼毎の傾斜角度が可変な構造を有し、この傾斜角度を制御することによって、当該ルーバ翼上を滑落する被処理物の慣性力を変化させるよう構成されたことを特徴とするものである。
【発明の効果】
【００１５】
本発明の請求項１に係る分粒分級装置によれば、微粉を含む被処理物を分粒するための篩網と、分粒後の微粉を移送気体の流れに伴送させて分級するべく前記篩網の下方において移送気体を流通させる分級手段と、前記篩網の網上物排出側端部を通って篩い落とされる前記篩網を通過しない網上物の少なくとも一部を、前記篩網の下方において流通する移送気体中に通過させながら、前記篩網を通過した網下物に混合させるべく、前記篩網の下流端側下方に設けられた網上物混合手段を備えたので、最終製品に混合されるべき網上物の少なくとも一部を網下物と混合する際に前記分級手段で分級（微粉除去）し得るので、装置外部に新たな付帯設備を追加することなく良品質な粒状製品を得ることが出来る。
【００１６】
また、本発明の請求項２に係る分粒分級装置によれば、前記網上物混合手段が、前記篩網から落下して来た網上物を網下物に混合する側と混合せずに排出する側とに分配するダンパーと、このダンパーの姿勢を操作する姿勢変更機能とを備えて構成されたので、簡便な構成によって前記網上物の回収割合を制御することが出来る。
【００１７】
更に、本発明の請求項３に係る分粒分級装置によれば、前記ダンパーは、前記篩網の網上物排出側端部に沿う方向に複数個並設されているので、前記複数個並設された個々のダンパーの姿勢を各々操作することによって、前記網上物の回収割合を簡単に制御することが出来る。
【００１８】
また更に、本発明の請求項４に係る分粒分級装置によれば、前記篩網の網上物排出側端部は、この網上物排出側端部に沿って出幅が漸次変化した庇状部を備えているので、前記ダンパーの姿勢を操作することによって、前記網上物の回収割合を簡単に制御することが出来る。
【００１９】
本発明の請求項５に係る分粒分級装置によれば、前記分級手段の移送気体流路に多段のルーバ翼を全体的に傾斜して設けることによって前記移送気体の通過断面積を減少させ、前記ルーバ翼間の開口部を通過する移送気体を増速させるよう構成されたので、前記網上物混合手段によって回収された網上物と分粒後の網下物との混合物の分散状態において、移送気体に伴送されなかった粒子（分散状態が悪い微粉）を移送気体の流れに乗せることが出来、かつ、前記多段のルーバ翼によって分粒後の粒子に高速の移送気体を複数回衝突させ得るので、前記微粉の分離効率を向上させることが出来る。
【００２０】
また、本発明の請求項６に係る分粒分級装置によれば、前記ルーバ翼毎の傾斜角度が可変な構造を有し、この傾斜角度を制御することによって、当該ルーバ翼上を滑落する被処理物の慣性力を変化させるよう構成されたので、前記粒子の滑落による慣性力と風速との関係から、前記ルーバ翼を越える粒子径を制御することによって、得られる製品の細かさ（あるいは、微粉の混合量）を変化させることが出来る。
【発明を実施するための最良の形態】
【００２１】
先ず、本発明の実施の形態１に係る分粒分級装置の構成について、添付図１および２を参照しながら以下説明する。図１は本発明の実施の形態１に係る分粒分級装置の概要を示す側断面図、図２は本発明の実施の形態１に係る分粒分級装置の分級部分を模式的に示した模式的側断面図である。
【００２２】
図１において、本発明に係る分粒分級装置１は、被処理物から粗大粒を排除する分粒手段を収納した篩部分２と、この篩部分２の下部に配置されて、前記分粒手段によって分粒された微粉を含む被処理物から微粉を分離する分級手段の一部を構成する分級部分３とにより構成される。
【００２３】
即ち、前記篩部分２の内部には、粗大粒、粗粒、細粒および微粉を含む被処理物（原料）Ｍを、粗大粒と粗粒および細粒・微粉とに分粒する分粒手段として、目開きの異なる上網４ａと下網４ｂとからなる篩網４が、後述する被処理物Ｍの投入口２ａの下部から斜め下方向に向けて配置されている。
【００２４】
前記篩部分２の頂部側（上流端側）には、被処理物Ｍの投入口２ａが設けられるとともに、斜め下方向に配置された前記篩網４の下端側（下流端側）には、粗大粒Ｍ１を網上物として排出する網上物排出口２ｂが設けられている。そして、前記篩網４に振動を与えるため図示しない加振機が設けられ、投入された被処理物Ｍは、加振されて前記篩網４上を下流側に向けて移動（下降）しながら、粗大粒Ｍ１未満の粒径を有する粒子、即ち、粗粒および細粒・微粉を網下物Ｍａとして篩い落として分粒される。上網４ａを通過しない粗大粒Ｍ１は、篩網の網上物排出側端部（下流端側）を通って篩い落とされ網上物排出口２ｂからシュータ７を介して排出される。
【００２５】
そして、分級部分３の下部には、移送気体を導入するための移送気体導入口３ａが設けられるとともに、前記移送気体導入口３ａよりも上方の分級部分３の対向面には、移送気体および微粉Ｍ４の排出口（以下、移送気体・微粉排出口と称す）３ｂが設けられ、図示しない吸込ファン等の吸引装置にダクト接続されている。また、前記分級部分３の下端には、前記移送気体５に乗らない粗粒Ｍ２を回収するための粗粒排出口３ｃが設けられている。
【００２６】
また、前記分級部分３とシュータ７とを隔てるための隔壁３ｆには、前記篩網４を通過しない網上物の少なくとも一部Ｍ１aを、前記篩網の下方において流通する移送気体中に通過させながら網下物Ｍａに混合させるべく、前記篩網の下流端側下方に網上物混合手段１０が備えられるとともに、前記篩網４を構成する下網４ｂの下端側（下流端側）が上網４ａより短かく構成されている。
【００２７】
そして、この網上物混合手段は、前記篩網４の下流端側から排出側に落下してきた網上物Ｍ１の少なくとも一部Ｍ１ａを、網下物に混合する側と混合せずにそのまま装置外へ排出する排出側とに分配する機能を発揮するべく、プレート１０ａとこのプレート１０ａの下端を隔壁３ｆに回動可能なように支持された支持軸１０ｂとからなるダンパー１０によって構成されている。
【００２８】
また、このダンパー１０は、前記プレート１０ａが、図１において、実線で示す傾斜位置（全て排出する位置）から二点鎖線で示す直立位置（全て混合する位置）まで回動し得るよう構成されている。そして、前記ダンパー１０のプレート１０ａの姿勢を操作することによって、前記網上物Ｍ１の排出量と混合量の割合を変更する制御機能を備えている。プレート１０ａの姿勢は手動で操作しても良く、混合量が所定の割合となるよう機械的に自動制御するようにしても良い。
【００２９】
更に、前記分級部分３において、前記移送気体の流れ５が形成される流路空間に、この移送気体の流れ５を部分的に遮るように多段のルーバ翼６を設けることによって通過断面積を減少させ、前記移送気体が前記ルーバ翼６間のスリット状の開口部６ａを通過する際、このスリット状の隙間によって増速された移送気体の流れ５ａが形成されるよう構成されている。
【００３０】
即ち、本発明に係る分粒分級装置１の前記ルーバ翼６は、図２に示す如く、水平面となす傾斜角度θＬが可変な構造とし、この傾斜角度θＬを制御することによって、前記ルーバ翼６上を滑落する被処理物の慣性力を変えるように構成するのが好ましい。この様な構成は、前記ルーバ翼６の各々に略水平方向に配設された水平軸６ｂを設け、この水平軸６ｂを回動させることによって達成することが出来る。前記開口部寸法δとは、ルーバ翼６間に形成された開口部６ａにおいて、前記移送気体の流れ方向に直角方向な開口寸法をいう。
【００３１】
また、本発明に係る分粒分級装置１の前記ルーバ翼６と前記移送気体の流れ５方向下流側の分級部側壁３ｅとから構成される前記ルーバ翼６下流側空間Ｂの流路断面積が、前記移送気体の流れ５方向に従って拡大するよう構成するのが好ましい。このような構成は、前記ルーバ翼６が全体として水平面となす傾斜角度θＬが、分級部側壁３ｅが水平面となす傾斜角度θ０を越える角度とする（θＬ＞θ０）ことによって達成される。
【００３２】
次に、このように構成された本発明に係る分粒分級装置１の分粒分級作用について、以下プロセスを追って説明する。上記分粒分級装置１において、加振機を起動させて篩網４を振動させるとともに、吸引装置を起動させる。そして、投入口２ａから粗大粒、粗粒、細粒および微粉を含む被処理物Ｍを連続的に投入開始するとともに、前記吸引装置の吸引作用により移送気体導入口３ａから移送気体を導入する。
【００３３】
そうすると、前記投入口２ａは被処理物Ｍの連続的投入により空気の出入りが少ない、被処理物Ｍがほぼ充満した状態になる。この状態で吸引装置により吸引されるので、図１に示す如く移送気体（空気）の流れ５ができる。即ち、前記篩網４下部において、前記移送気体導入口３ａから移送気体・微粉排出口３ｂに向かう斜め上方方向の移送気体流路が形成された状態となる。
【００３４】
前記投入口２ａから投入された被処理物Ｍは、篩網４によって粗大粒Ｍ１と粗粒および細粒・微粉とに分粒される。即ち、前記被処理物Ｍ中の粗大粒は、前記上網４を通過することなく網上物（ふるいオーバ）Ｍ１として篩網の下流端側より、網上物排出側端部を通って篩い落とされ、粗大粒排出口２ｂからシュータ７を介して排出される。同時に、前記処理物Ｍ中の粗粒、細粒および微粉は、前記篩網４を通過し分散されて網下物Ｍａとなり、この網下物Ｍａは前記篩手段４下部に配置された分級部分３に落下する。
【００３５】
その際、前記上網４ａを通過し下網４ｂを通過しない網上物Ｍ１ａは、下網４ｂの下端側（下流端側）より網上物排出側端部を通って篩い落とされる。そして、前記ダンパー１０を構成するプレート１０ａの姿勢が実線で示す傾斜位置にある場合は、前記シュータ７側に落下して全量排出されるが、前記プレート１０ａが二点鎖線で示す直立位置にある場合は、前記分級部３側に全量回収され、網下物に混合される。
【００３６】
本実施の形態においては、前記ダンパー１０の姿勢は、図示しない制御器内に収納された制御機能によって傾斜度が制御され、前記網上物の一部Ｍ１ａを分級部分３に回収し、残りをシュータ７側に排出することも出来る。即ち、前記ダンパー１０の姿勢を調整することによって、網下物に混合する網上物Ｍ１の混合量（即ち、混合割合）を制御することが出来るのである。
【００３７】
そして、前記分級部分３において、落下して来たこの網上物Ｍ１ａは、移送気体の流れ５の中を通過し、前記下網４ｂを通過した網下物Ｍａは、分級部分３内部に形成された前記移送気体の流れ５の中を通過しながら多段のルーバ翼６上に落下し、このルーバ翼６上を滑落する。
【００３８】
この時、前記網下物Ｍａ中の比較的小さな粒子Ｍｂは、前記移送気体に伴送されてルーバ翼６間の開口部６ａを、増速された移送気体の流れ５ａとともに通過して、前記分級部分３内のルーバ翼６上流側空間Ａから前記ルーバ翼６下流側空間Ｂに移動する。一方、前記移送気体に伴送されなかった比較的大きな粒子は、そのまま落下して粗粒Ｍ２として粗粒排出口３ｃから回収される。
【００３９】
前記ルーバ翼６下流側空間Ｂに移動する最大粒子径は、ルーバ翼６を滑落する時の慣性力と前記ルーバ翼６間の開口部６ａを流れる移送気体の流速ＶＬとにより決まってくる。ところが、前記開口部６ａを通過する移送気体の流れ５ａの流速のＶＬは、開口部６ａにおいて通過断面積を減少されているため、前記ルーバ翼６のない移送気体流路における流速より増速されている。
【００４０】
そのため、網下物Ｍａの分散状態において、移送気体の流れ５に伴送されなかった粒子（分散状態が悪い微粉）を、前記開口部６ａを通過する増速された移送気体の流れ５ａに乗せることが出来、かつ、前記多段のルーバ翼６によって分粒後の粒子に高速の移送気体を複数回衝突させ得るので、前記混合物から微粉Ｍ４の分離効率を向上させることが出来る。
【００４１】
そして、前記ルーバ翼６下流側空間Ｂに移動した粒子Ｍｂ中の微粉Ｍ４は、移送気体の流れ５に伴送されて、前記移送気体とともに移送気体・微粉排出口３ｂより排出される。一方、前記空間Ｂにおいて移送気体の流れ５に伴送されなかった粒子は、細粒Ｍ３として細粒排出孔３ｄから回収される。
【００４２】
この様に、本発明の実施の形態１に係る分粒分級装置は、前記篩網４を通過しない網上物の少なくとも一部Ｍ１ａを、前記分級手段３側に回収するための網上物混合手段（ダンパー）１０を備えたので、最終製品に混合されるべき網上物Ｍ１ａを前記分級手段３の内部で分級（微粉除去）し、網下物Ｍａの分級後の製品と混合して排出することによって、装置外部に新たな付帯設備を追加することなく、良品質な混合製品を得ることが出来る。
【００４３】
また、前記分級手段３の移送気体流路に多段のルーバ翼６を設けることによって、前記ルーバ翼６間の開口部６ａを通過する移送気体を増速させるよう構成されたので、微粉の分離効率を向上させることが出来る。このようにして、網上物の少なくとも一部Ｍ１ａと網下物Ｍａとの混合物から、微粉Ｍ４を効率的に排除した粗粒Ｍ２や細粒Ｍ３を得ることが出来るのである。
【００４４】
更に、前記ルーバ翼６毎の傾斜角度θＬが可変な構造を有し、この傾斜角度θＬを制御することによって、前記開口部６ａにおける移送気体の流速ＶＬとルーバ翼６を滑落する粒子の落下速度（慣性力）との関係を制御し、前記移送気体の流れ５ａに伴送される粒子の大きさ、逆に言えば、粗粒Ｍ２の下限粒径を制御することが出来る。
【００４５】
即ち、前記下流側空間Ｂにおけるルーバ翼６通過直後の移送気体流速は、一般的に流速が高く乱流となり易く、微粉の分離効率に悪影響を与える。このため、前記ルーバ翼６下流側空間Ｂの流路断面積を、前記移送気体の流れ５方向に沿って連続的に拡大するよう構成することによって、前記下流側空間ＢにＶａからＶｂに緩やかに流速が低下する安定的な移送気体の流れ５が形成される。このように移送気体の流速が減速していく過程で、本来細粒Ｍ３として分級されるべき粒子が伴送されることなく前記移送気体の流れ５から離脱し、効率的に分離されるのである。
【００４６】
そして、移送気体流路のルーバ翼６下流側空間の上方には、移送気体・微粉排出口３ｂが配置され、かつ下方には粒子排出口である粗粒排出口３ｃおよび細粒排出口３ｄが配置されるとともに、前記多段のルーバ翼６の全体的な傾斜角度θＬが可変な構造を有し、この傾斜角度θＬを制御することによって、前記ルーバ翼６下流側空間における移送気体の流れ５方向に沿った流路断面積を変化させるよう構成されるのが好ましい。
【００４７】
例えば、ルーバ翼６全体をルーバ翼上端部回りに揺動させて傾斜角度θＬを変更する機構とすればよい。このような構成をなすことによって、前記移送気体・微粉排出口３ｂから排出される粒子径を制御することが出来る。
【００４８】
次に、本発明の実施の形態２に係る分粒分級装置について、以下添付図３および４を参照しながら説明する。図３は本発明の実施の形態２に係る分粒分級装置を模式的に示した模式的側断面図、図４は図３に示したＸ部を上方より斜視した模式的斜視図である。前記図３においては、ルーバ翼の図は省略している。
【００４９】
但し、本発明の実施の形態２が上記実施の形態１と相違するところは、前記網上物混合手段の構成にあり、これ以外は上記実施の形態１と全く同構成であるから、上記実施の形態１と同一のものに同一符号を付して、以下その相違する点について説明する。
【００５０】
即ち、上記実施の形態１に係る分粒分級装置１の網上物混合手段１０が、１枚のプレート１０ａと支持軸１０ｂとで構成されるダンパー（プレート）の姿勢を変える姿勢変更機構（図示せず）とで構成されるのに対し、本実施の形態２に係る網上物混合手段１１は、図４に示す如く、ダンパーが幅方向に複数並設されており、ダンパー毎に分割されている分割プレート１１ａと、この分割プレート１１ａの下端を隔壁３ｆに回動可能なように支持する支持軸１１ｂと、ダンパー毎に分割プレートの姿勢を変える姿勢変更機構（図示せず）とにより構成されている。
【００５１】
そして、前記分割プレート１１ａは、ダンパー毎に夫々単独に開閉出来るよう姿勢変更機構と図示しない制御器内に収納された制御機能によって制御される。このような構成によって、網上物Ｍ１に対する分級部分３側に混合される混合量の割合（混合割合）を調整することが出来る。尚、必要に応じてダンパー毎の前記分割プレート１１ａの枚数を変更しても良く、また、制御器を用いない手動式の姿勢変更機構を用いても良い。
【００５２】
上記実施の形態１に係る網上物混合手段１０においては、前記プレート１０ａの姿勢によって網上物の混合割合を制御するものであるため、被処理物が下網４ｂを通過する通過量によって下網４ｂ上に残存する層厚さが変化した場合、前記通過量が変動することになり前記混合割合を一定に保持することが困難であるが、上記構成とすることによって並設する複数の分割プレート１１ａの姿勢を夫々変更することが可能となり、略一定割合に制御することが出来る。
【００５３】
次に、本発明の実施の形態３に係る分粒分級装置について、以下添付図５および６を参照しながら説明する。図５は本発明の実施の形態３に係る分粒分級装置を模式的に示した模式的側断面図、図６は図５に示したＹ−Ｙ断面を矢視した模式的矢視図である。前記図５においては、ルーバ翼の図は省略している。
【００５４】
但し、本発明の実施の形態３が上記実施の形態１と相違するところは、前記篩網の構成にあり、これ以外は上記実施の形態１と全く同構成であるから、上記実施の形態１と同一のものに同一符号を付して、以下その相違する点について説明する。
【００５５】
即ち、上記実施の形態１に係る分粒分級装置１の篩網４ｂが、網上物排出側端部（下流側端部）において前記網上物混合手段１０のプレート上端部と平行に形成されているのに対し、本実施の形態３に係る篩網４ｂは、図５および６に示す如く、網上物排出側（下流端側）に排出端を幅方向に沿って斜めに切断されて、その出幅が漸次変化した庇状部１２ｃが設けられている。この庇状部１２ｃの下方に位置するようにプレート１２ａが設けられており、このプレート１２ａは下端を回動可能（姿勢変更可能）なように隔壁３ｆに支持軸１２ｂを介して設けられている。
【００５６】
そして、前記プレート１２ａの姿勢は、前記実施の形態１と同様に、図示しない制御器内に収納された制御機能により制御されるよう構成されている。このような構成をなすことによって、前記プレート１２ａの姿勢を直立する側に変化させて、分級部分３側に混合する網上物の割合を増加したり、前記プレート１２ａの姿勢を傾斜する側に変化させて、分級部分３側に混合する網上物の割合を低減したりして、前記分級部分３側に混合する網上物の混合割合を変更するものである。
【００５７】
このような構成をなすことによって、被処理物が下網４ｂを通過する通過量が変動し下網４ｂ上に残存する層厚さが変化する場合でも、篩網の幅方向における回収量が制限されているため層厚の変動の影響を緩和することが出来、前記実施の形態２と同様、前記プレート１２ａの姿勢によって網上物の混合割合を、略一定の混合割合に制御することが出来る。尚、前記庇状部は、板状の部材を篩網の下流端に連接して設けるようにすることが製作上好ましいが、篩網自体の網上物排出側端の出幅を漸次変化させるようにしても良い。また、実施の形態２と同様、本実施の形態の姿勢変更機構も手動式のものを用いることが出来る。
【００５８】
本発明において、粗大粒、微粉を含む被処理物については、何れもその種類は特には限定されず、種々のものを用いることができ、例えば岩石を破砕してなる破砕物を用いることができる。尚、粗大粒および微粉を含む被処理物としては、粗粒、細粒、粗大粒および微粉を含むものの他、細粒、粗大粒および微粉を含むもの、粗粒、粗大粒および微粉を含むもの等がある。
【００５９】
本発明における微粉とは、移送気体の流れに乗ることが可能な程度に小さくて軽量な粉状体または粒状体のことである。また、細粒とは、前記微粉よりも大きくかつ重く、移送気体の流れに乗り難い粒状体のことである。粗粒とは、前記微粉および細粒よりも大きい粒状体のことである。粗大粒とは、前記細粒および粗粒よりも大きい粒状体または棒状体のことである。
【００６０】
これらの各々の大きさについては、被処理物の種類や分粒分級の目的等によって相違し、変動し、また、定まってくるものであるが、多くの場合その平均径は、粗大粒は１０ｍｍ以上、粗粒は１０ｍｍ未満３ｍｍ以上、細粒は３ｍｍ未満０．１ｍｍ以上、微粉は０．１ｍｍ未満である。製砂設備において岩石を破砕してなる破砕物の場合、例えば、下限３〜５ｍｍ程度以上の平均径のものが粗大粒、上限（３〜５）ｍｍ〜下限（０．６〜１．２）ｍｍ程度の平均径のものが粗粒、上限０．６〜０．０７５ｍｍあるいは１．２〜０．０７５ｍｍ程度の平均径のものが細粒、０．０７５ｍｍ（７５μm ）未満の平均径のものが微粉に相当することが多い。
【００６１】
また、粗大粒、粗粒、細粒および微粉を含む被処理物を粗大粒と粗粒、細粒および微粉とに分粒する篩網とは、前記被処理物中の粗大粒およびそれ以上の大きさのものを通過させず網上物となし、粗粒、細粒および微粉を通過させ得る大きさの篩目（目開き）を有する篩網のことである。従って、この篩の目開きの大きさは、被処理物の種類、即ち粗大粒、粗粒および細粒並びに微粉の大きさによって異なる。また、所望の分粒が可能であれば、碁盤の目状の篩網でも櫛状の篩網でも良い。
【００６２】
本発明に係る実施の形態においては、篩目の異なる篩網を上下２段に斜め下方に向けて配置した分粒手段を有する実施例を用いて説明したが、前記分粒手段における篩網の段数や斜め下方向への配置は特に限定されるものではなく、必要に応じた篩網段数と配置が可能である。また、本発明に係る実施の形態においては、前記篩網を構成する下網に対応した網上物混合手段を設けた実施例を用いて説明したが、前記網上物混合手段の配置は特に下網に限定されるものではなく、上網や１以上の段数の篩網全体に対応して設けられた構成でも良い。
【００６３】
更に、本発明に係る実施の形態においては、ルーバ翼の段数が５段の実施例を用いて説明したが、前記ルーバ翼の段数は特に限定されず、必要に応じて増減可能である。また更に、移送気体の種類は特には限定されず、種々のものを用いることができるが、還元性雰囲気とする必要がある場合等の特段の事情がなければ、通常は空気を用いる。
【００６４】
また更に、本発明の分粒分級装置に係る網上物混合手段は、分級部分にルーバ翼を備えることによって、網上物の少なくとも一部と網下物との混合物からより効果的に微粉を分離することが可能であるが、ルーバ翼を備えないで移送気体を利用しただけの通常の分粒分級装置に適用可能なことは言うまでもない。ルーバ翼を備えない場合には、粗粒排出口３ｃと細粒排出口３ｄは一つの排出口とすることが出来る。
【００６５】
以上、本発明に係る分粒分級装置によれば、篩網を通過しない網上物の少なくとも一部を前記分級手段に回収するための網上物混合手段を備えることによって、最終製品に混合されるべき網上物を網下物と混合する際に分級手段で分級（微粉除去）し得るので、装置外部に新たな付帯設備を追加することなく良品質な粒状製品を得ることが出来る。
【００６６】
また、本発明に係る分粒分級装置によれば、前記網上物混合手段が、前記篩網から排出側に落下してきた網上物の少なくとも一部を受け取るダンパーと、このダンパーの開度を操作することによって前記網上物の排出量に対する混合量を制御する制御機能とを備えて構成されたので、簡便な構成によって前記網上物の混合割合を変更することが出来るのである。
【図面の簡単な説明】
【００６７】
【図１】本発明の実施の形態１に係る分粒分級装置の概要を示す側断面図である。
【図２】本発明の実施の形態１に係る分粒分級装置の分級部分を模式的に示した模式的側断面図である。
【図３】本発明の実施の形態２に係る分粒分級装置を模式的に示した模式的側断面図である。
【図４】図３に示したＸ部を上方より斜視した模式的斜視図である。
【図５】本発明の実施の形態３に係る分粒分級装置を模式的に示した模式的側断面図である。
【図６】図５に示したＹ−Ｙ断面を矢視した模式的矢視図である。
【図７】従来例に係る分粒分級装置の概要を示す側断面図である。
【符号の説明】
【００６８】
Ａ：分級部分内のルーバ翼上流側空間，    Ｂ：分級部分内のルーバ翼下流側空間
Ｍ：被処理物（原料），
Ｍ１：排出された粗大粒（網上物），
Ｍ１ａ：篩網を通過しない網上物の少なくとも一部，
Ｍ２：粗粒，      Ｍ３：細粒，    Ｍ４：微粉，
Ｍａ：網下物，    Ｍｂ：ルーバ翼下流側空間に移動した粒子
ＶＬ：ルーバ翼間開口部における移送気体流速
θ０：分級部側壁が水平面となす角度，
θＬ：ルーバ翼が水平面となす傾斜角度
δ：ルーバ翼間の開口部寸法
１：分粒分級装置
２：分粒部分，      ２ａ：原料投入口，      ２ｂ：網上物排出口
３：分級部分，      ３ａ：移送気体導入口，  ３ｂ：移送気体・微粉排出口，
３ｃ：粗粒排出口（粒子排出口），    ３ｄ：細粒排出口（粒子排出口），
３ｅ：分級部側壁，  ３ｆ：隔壁
４：分粒手段，      ４ａ：上網，            ４ｂ：下網
５：移送気体の流れ，５ａ：増速（流速が変更）された移送気体の流れ
６：ルーバ翼，      ６ａ：ルーバ翼間開口部，６ｂ：水平軸
７：シュータ
１０，１１：ダンパー（網上物混合手段），  １０ａ，１１ａ：プレート，
１０ｂ，１１ｂ：支持軸
１２：網上物混合手段，  １２ａ：プレート，  １２ｂ：支持軸，  １２ｃ：庇状部
【図１】
2008086917.tif 000003
【図２】
2008086917.tif 000004
【図３】
2008086917.tif 000005
【図４】
2008086917.tif 000006
【図５】
2008086917.tif 000007
【図６】
2008086917.tif 000008
【図７】
2008086917.tif 000009